(57)【特許請求の範囲】
【請求項１】
クレードルに着脱自在に装着された巻き取りボビンと、クレードルの周囲を回転せしめられる弓形フライヤと、弓形フライヤの一端が第１フライヤ取り付け部材を介して取り付けられかつ周壁に横長孔を有する第１中空水平主軸と、弓形フライヤの他端が第２フライヤ取り付け部材を介して取り付けられかつ周壁に横長孔を有する第２中空水平主軸と、一部が横長孔より中空部内にはめ入れられて第１中空水平主軸に取り付けられ複数の素線を中空部および横長孔を通して弓形フライヤに案内するとともに弓形フライヤの回転にともなって複数の素線に１度目の撚を与える第１撚付与兼ガイド・ローラと、一部が横長孔より中空部内にはめ入れられて第２中空水平主軸に取り付けられかつ弓形フライヤの他端から引き出された１度撚線を横長孔および中空部を通してキャプスタンに案内するとともに弓形フライヤの回転にともなって１度撚線に２度目の撚を与える第２撚付与兼ガイド・ローラとを備えた２度撚集合撚線装置において、第１フライヤ取り付け部材および第２フライヤ取り付け部材がアルミニウムまたは繊維強化熱可塑性樹脂製であり、第１中空水平主軸および第２中空水平主軸のいずれか一方のみを回転駆動するモータを備え、弓形フライヤを介してその回転動力が同他方に伝達されるようになされていることを特徴とする２度撚集合撚線装置。
【発明の詳細な説明】
【０００１】
【発明の属する技術分野】
この発明は、２度撚集合撚線装置に関する。
この明細書において、「アルミニウム」とは、純アルミニウムおよびアルミニウム合金をいうものとする。
【０００２】
【従来の技術】
従来の２度撚集合撚線装置には、第１中空水平主軸および第２中空水平主軸それぞれに出力軸が接続されて両中空水平主軸を駆動する２つのモータを備えたものと、動力伝達機構を介して両中空水平主軸を駆動する１つのモータを備えたものとがある。後者の動力伝達機構について詳しく述べると、これは、主ケーシングの外側に設けられた副ケーシングの床に据付けられている１つのモータの出力軸に取り付けられたプーリと、モータの上方に配置せられたライン・シャフトの両端間に取り付けられたプーリとにタイミング・ベルトが掛けわたされ、ライン・シャフトの副ケーシングからの突出一端部に取り付けられたプーリと、第１中空水平主軸の主ケーシングからの突出端部に取り付けられたプーリとにタイミング・ベルトが掛けわたされ、さらに、ライン・シャフトの副ケーシングからの突出他端部に取り付けられたプーリと第２中空水平主軸の主ケーシングからの突出端部に取り付けられたプーリとにタイミング・ベルトが掛けわたされたものである。
【０００３】
【発明が解決しようとする課題】
従来の２度撚集合撚線装置の前者のものは、モータが２台存在するので、騒音の問題およびコスト高の問題があり、さらに第１中空水平主軸側のモータには、素線通過用貫通孔を新たに加工する必要がある。また、同後者のものは、複雑な動力伝達機構を必要とするので、コスト高となるのみならず、第１中空水平主軸側および第２中空水平主軸側の両方にプーリとタイミング・ベルトが存在するので、騒音が大きいという問題がある。
【０００４】
この発明の目的は、騒音の問題がなくかつ安価な２度撚集合撚線装置を提供するにある。
【０００５】
【課題を解決するための手段】
この発明は、クレードルに着脱自在に装着された巻き取りボビンと、クレードルの周囲を回転せしめられる弓形フライヤと、弓形フライヤの一端が第１フライヤ取り付け部材を介して取り付けられかつ周壁に横長孔を有する第１中空水平主軸と、弓形フライヤの他端が第２フライヤ取り付け部材を介して取り付けられかつ周壁に横長孔を有する第２中空水平主軸と、一部が横長孔より中空部内にはめ入れられて第１中空水平主軸に取り付けられ複数の素線を中空部および横長孔を通して弓形フライヤに案内するとともに弓形フライヤの回転にともなって複数の素線に１度目の撚を与える第１撚付与兼ガイド・ローラと、一部が横長孔より中空部内にはめ入れられて第２中空水平主軸に取り付けられかつ弓形フライヤの他端から引き出された１度撚線を横長孔および中空部を通してキャプスタンに案内するとともに弓形フライヤの回転にともなって１度撚線に２度目の撚を与える第２撚付与兼ガイド・ローラとを備えた２度撚集合撚線装置において、第１フライヤ取り付け部材および第２フライヤ取り付け部材がアルミニウムまたは繊維強化熱可塑性樹脂製であり、第１中空水平主軸および第２中空水平主軸のいずれか一方のみを回転駆動するモータを備え、弓形フライヤを介してその回転動力が同他方に伝達されるようになされていることを特徴とするものである。
【０００６】
この発明の２度撚集合撚線装置によれば、第１フライヤ取り付け部材および第２フライヤ取り付け部材がアルミニウムまたは繊維強化熱可塑性樹脂製であるから、従来の鉄製のものに較べ、軽量化し、慣性モーメントを小さくすることができる。その結果、第１中空水平主軸および第２中空水平主軸のいずれか一方のみを回転駆動するモータを具備せしめるだけで弓形フライヤを介してその回転動力を同他方に伝達することが可能となる。
【０００７】
弓形フライヤは、第１フライヤ取り付け部材を含む第１中空水平主軸および第２フライヤ取り付け部材を含む第２中空水平主軸のいずれか一方の駆動回転を同他方に伝達し、これらを従動回転せしめるに足る強度と剛性を有するように設計せられる。その材料としては、繊維強化熱可塑性樹脂、繊維強化カーボンなどが用いられる。
【０００８】
フライヤ取り付け部材の形状としては、周面テーパ状円盤形、通常の円盤形、その他種々の形状がある。
【０００９】
【発明の実施の形態】
この発明の実施の形態を以下図面を参照して説明する。なお、発明の実施の形態において、「前」とは図１および図２の左側を指し、「後」とは同図の右側を指すものとする。
【００１０】
（実施の形態１）
この実施の形態は、図１に示すものである。
同図の２度撚集合撚線装置は、クレードル(1)に着脱自在に装着された巻き取りボビン(2)と、クレードル(1)の周囲を回転せしめられる弓形フライヤ(3)と、弓形フライヤ(3)の一端が周面テーパ状円盤形第１フライヤ取り付け部材(4)を介して取り付けられかつ周壁に横長孔(5)を有する第１中空水平主軸(6)と、弓形フライヤ(3)の他端が周面テーパ状円盤形第２フライヤ取り付け部材(7)を介して取り付けられかつ周壁に横長孔(8)を有する第２中空水平主軸(9)と、一部が横長孔(5)より中空部内にはめ入れられて第１中空水平主軸(6)に取り付けられ、目板(10)を通過した複数の素線(A1)を中空部および横長孔(5)を通して弓形フライヤ(3)に案内するとともに弓形フライヤ(3)の回転にともなって複数の素線(A1)に１度目の撚を与え１度撚線(A2)とする第１撚付与兼ガイド・ローラ(11)と、一部が横長孔(8)より中空部内にはめ入れられて第２中空水平主軸(9)に取り付けられかつ弓形フライヤ(3)の他端から引き出された１度撚線(A2)を横長孔(8)および中空部を通してキャプスタン(12)に案内するとともに弓形フライヤ(3)の回転にともなって１度撚線(A2)に２度目の撚を与え２度撚線(A3)とする第２撚付与兼ガイド・ローラ(13)とを備えている。周面テーパ状円盤形第１フライヤ取り付け部材(4)および周面テーパ状円盤形第２フライヤ取り付け部材(7)は、アルミニウム製である。そして、第２中空水平主軸(9)のみを回転駆動するモータ(14)を備え、繊維強化熱可塑性樹脂製弓形フライヤ(3)を介してその回転動力が第１中空水平主軸(6)に伝達されるようになされている。
【００１１】
弓形フライヤ(3)と対称形に回転バランスを保つためのバランス用弓形フライヤ(15)が配され、その一端が周面テーパ状円盤形第１フライヤ取り付け部材(4)に、その他端が周面テーパ状円盤形第２フライヤ取り付け部材(7)にそれぞれ取り付けられている。第１中空水平主軸(6)は、ケーシング(16)の後壁(17)内側に設けられた軸受(18)に受けられ、その後端部が後壁(17)より外に突出せしめられて後壁(17)の後方に配置せられた目板(10)にのぞんでいる。第２中空水平主軸(9)は、ケーシング(16)の前壁(19)内側に設けられた軸受(20)に受けられている。モータ(14)は、ケーシング(16)の前壁(19)外側に設けられており、その出力軸が第２中空水平主軸(9)の前端と接続せられている。したがって、このモータには当然のことながら、素線通過用貫通孔があけられていない。
【００１２】
上記実施の形態１では、１つのモータ(14)がケーシング(16)の前壁(19)外側に設けられているが、１つのモータをケーシング(16)の後壁外側に設け、その出力軸を第１中空水平主軸(6)の後端と接続してもよい。この場合は、モータに素線通過用貫通孔を必要とする。
【００１３】
（実施の形態２）
この実施の形態は、図２および図３に示すものであり、第２中空水平主軸(9)のみが動力伝達機構を介してモータにより回転駆動せられるものである。
【００１４】
すなわち、ケーシング(16)の前壁(19)下部にくぼみ(21)が設けられており、モータ(22)がくぼみ(21)にその出力軸(23)が開口から突出する状態に収められている。そして、出力軸(23)と、第２中空水平主軸(9)のケーシング(16)の前壁(19)からの突出端部(24)にそれぞれプーリ(25)(26)が取り付けられ、両プーリ(25)(26)にタイミング・ベルト(27)が掛けわたされている。その他は、実施の形態１と異なるところはない。
【００１５】
上記実施の形態２では、１つのモータ(22)がケーシング(16)の前壁(19)外側に設けられたくぼみ(21)に収められているが、ケーシング(16)の後壁にくぼみを設けて１つのモータを収め、このモータにより動力伝達機構を介して第１中空水平主軸(6)を回転駆動してもよい。
【００１６】
【発明の効果】
この発明の２度撚集合撚線装置によれば、従来のものに較べて騒音の問題がなくかつコストも安価になる。
【図面の簡単な説明】
【図１】この発明の実施の形態１を示す部分縦断面図である。
【図２】この発明の実施の形態２の要部を示す部分縦断面図である。
【図３】この発明の実施の形態２の要部を示す部分正面図である。
【符号の説明】
(1)：クレードル
(2)：巻き取りボビン
(3)：弓形フライヤ
(4)：第１フライヤ取り付け部材
(5)(8)：横長孔
(6)：第１中空水平主軸
(7)：第２フライヤ取り付け部材
(9)：第２中空水平主軸
(11)：第１撚付与兼ガイド・ローラ
(12)：キャプスタン
(13)：第２撚付与兼ガイド・ローラ
(14)(22)：モータ
(A1)：素線
(A2)：１度撚線
(A3)：２度撚線
【図１】
0003546309.tif 000002
【図２】
0003546309.tif 000003
【図３】
0003546309.tif 000004